(57)【要約】【課題】調光装置の異常を検出可能にした異常検出装置、異常検出方法、および、異常検出プログラムを提供する。【解決手段】異常検出装置は、判定対象期間における透明電極１１，１２間の電流が閾値以上であるか否かを判断し、閾値以上の電流が検出されることを異常であると判定する判定部と、電圧パルスの印加タイミングに生じた透明電極１１，１２間の電流のリップルが閾値未満になるまでの所定期間が非対象期間であり、電圧パルスの印加タイミングから非対象期間が経過したときを判定対象期間の開始タイミングとするタイミング制御部３１と、を備える。【選択図】図１
2020034611.tif 000002
【特許請求の範囲】
【請求項１】
調光装置に用いられる異常検出装置であって、
前記調光装置は、透明電極間に位置する調光層を備え、相互に異なる極性の電圧パルスを交互に繰り返す駆動電圧が前記透明電極間に印加されることによって前記調光層の透過率を変更し、
前記異常検出装置は、
判定対象期間における前記透明電極間の電流が閾値以上であるか否かを判断し、閾値以上の電流が検出されることを異常であると判定する判定部と、
前記電圧パルスの印加タイミングに生じた前記透明電極間の電流のリップルが前記閾値未満になるまでの所定期間が非対象期間であり、前記電圧パルスの印加タイミングから前記非対象期間が経過したときを前記判定対象期間の開始タイミングとするタイミング制御部と、を備える
異常検出装置。
【請求項２】
前記タイミング制御部は、前記電圧パルスの印加タイミングを制御する
請求項１に記載の異常検出装置。
【請求項３】
前記判定部は、
前記透明電極間の電流を検出する検出回路と、
前記検出回路の検出信号に対し一部をマスクするマスク回路と、
前記マスク回路によるマスク後の検出信号が前記閾値以上であるか否かを判断し、前記閾値以上の電流が検出されることを異常であると判定する判定回路と、を備え、
前記タイミング制御部は、
前記マスク回路がマスクする期間を前記非対象期間とする
請求項１または２に記載の異常検出装置。
【請求項４】
前記判定部は、前記判定対象期間の検出信号での最大値を保持するピークホールド回路をさらに備え、
前記判定回路は、前記ピークホールド回路が保持する前記最大値が前記閾値以上であるか否かを判断し、前記閾値以上の最大値が検出されることを異常であると判定し、
前記タイミング制御部は、前記印加タイミングの直前に前記ピークホールド回路をリセットする
請求項３に記載の異常検出装置。
【請求項５】
前記調光装置は、定電圧電源の電圧レベルを前記電圧パルスの電圧レベルに変換する昇圧回路と、前記昇圧回路の出力レベルから前記駆動電圧を生成する駆動電圧生成回路と、をさらに備え、
前記タイミング制御部は、前記駆動電圧生成回路の出力タイミングを制御して前記駆動電圧を前記透明電極間に印加すると共に、前記異常であると判定されたときに、前記駆動電圧の印加を停止させる
請求項１または２に記載の異常検出装置。
【請求項６】
前記判定部は、前記透明電極間の電流を検出する検出回路を備え、
前記駆動電圧生成回路は、フルブリッジ回路を備え、
前記フルブリッジ回路は、第１スイッチ、第２スイッチ、第３スイッチ、第４スイッチを備え、直列接続された前記第１スイッチおよび前記第３スイッチと、直列接続された前記第２スイッチおよび前記第４スイッチとが並列接続され、
前記第１スイッチと前記第２スイッチとの接続部が前記昇圧回路の出力レベルに接続され、
前記第３スイッチと前記第４スイッチとの接続部が前記検出回路を介して接地レベルに接続され、
前記第１スイッチと前記第３スイッチとの接続部が一方の前記透明電極に接続され、前記第２スイッチと前記第４スイッチとの接続部が他方の前記透明電極に接続され、
前記タイミング制御部は、前記第１スイッチ、および、前記第４スイッチをオンし、かつ、前記第２スイッチ、および、前記第３スイッチをオフすることと、前記第１スイッチ、および、前記第４スイッチをオフし、かつ、前記第２スイッチ、および、前記第３スイッチをオンすることとを交互に繰り返して、前記駆動電圧を前記透明電極間に印加し、
前記検出回路は、前記透明電極間の電流として、前記第３スイッチと前記第４スイッチとの接続部から接地レベルに流れる電流を検出する
請求項５に記載の異常検出装置。
【請求項７】
前記定電圧電源の出力電流が所定値以上であるとき、ヒューズを溶断して前記昇圧回路と定電圧電源との接続を断つ過電流保護回路をさらに備える
請求項５または６に記載の異常検出装置。
【請求項８】
前記異常であると判定されたときに、前記調光装置に異常が発生した旨を外部に報知する報知部をさらに備える
請求項１から７のいずれか一項に記載の異常検出装置。
【請求項９】
調光装置に発生した異常を検出する異常検出方法であって、
前記調光装置は、透明電極間に位置する調光層を備え、相互に異なる極性の電圧パルスを交互に繰り返す駆動電圧が前記透明電極間に印加されることによって前記調光層の透過率を変更し、
前記電圧パルスの印加タイミングから、当該印加タイミングに生じた前記透明電極間の電流のリップルが閾値未満になるまでの所定期間である非対象期間が経過したときに、前記透明電極間の電流が前記閾値以上であるか否かを判断し、前記閾値以上の電流が検出されることを異常であると判定することを含む
異常検出方法。
【請求項１０】
調光装置に発生した異常を異常検出装置に検出させる異常検出プログラムであって、
前記調光装置は、透明電極間に位置する調光層を備え、相互に異なる極性の電圧パルスを交互に繰り返す駆動電圧が前記透明電極間に印加されることによって前記調光層の透過率を変更し、
前記異常検出装置を、
判定対象期間における前記透明電極間の電流が閾値以上であるか否かを判断し、閾値以上の電流が検出されることを異常であると判定する判定部と、
前記電圧パルスの印加タイミングに生じた前記透明電極間の電流のリップルが前記閾値未満になるまでの所定期間が非対象期間であり、前記電圧パルスの印加タイミングから前記非対象期間が経過したときを前記判定対象期間の開始タイミングとするタイミング制御部として機能させる
異常検出プログラム。
【発明の詳細な説明】
【技術分野】
【０００１】
本発明は、調光装置に用いられる異常検出装置、異常検出方法、および、異常検出プログラムに関する。
【背景技術】
【０００２】
調光装置は、一対の透明電極に挟まれた調光層を備える。調光層は、液晶組成物を含み、透明電極間の電圧の変化に応じて、透明と不透明とに変わる。調光層を駆動する駆動回路は、透明電極間に交流電圧を印加して調光層の長寿命化を図る（例えば、特許文献１を参照）。
【０００３】
調光層を駆動する型式は、ノーマル型とリバース型とに分類される。ノーマル型の駆動では、非通電時の調光層が不透明であり、通電時の調光層が透明である。ノーマル型の駆動は、光の遮蔽性を頻繁に必要とするスクリーン等への適用に好適である。リバース型の駆動では、非通電時の調光層が透明であり、通電時の調光層が不透明である（例えば、特許文献２を参照）。リバース型の駆動は、透明による安全性を非常時に必要とする建材等への適用に好適である。
【先行技術文献】
【特許文献】
【０００４】
【特許文献１】特開２０１８−０９１９８６号公報
【特許文献２】特開２０００−３２１５６２号公報
【発明の概要】
【発明が解決しようとする課題】
【０００５】
ところで、上述した調光装置には、透明電極間に印加される電圧レベルが１０ボルト以上に達する場合もあるため、駆動回路を保護する観点や省電力化を図る観点から、調光装置に異常が生じた場合には、異常が生じていることを即座に検出することが求められている。
本発明は、調光装置の異常を検出可能にした異常検出装置、異常検出方法、および、異常検出プログラムを提供することを目的とする。
【課題を解決するための手段】
【０００６】
上記課題を解決するための異常検出装置は、調光装置に用いられる異常検出装置であって、前記調光装置は、透明電極間に位置する調光層を備え、相互に異なる極性の電圧パルスを交互に繰り返す駆動電圧が前記透明電極間に印加されることによって前記調光層の透過率を変更する。異常検出装置は、判定対象期間における前記透明電極間の電流が閾値以上であるか否かを判断し、閾値以上の電流が検出されることを異常であると判定する判定部を備える。そして、異常検出装置は、前記電圧パルスの印加タイミングに生じた前記透明電極間の電流のリップルが前記閾値未満になるまでの所定期間が非対象期間であり、前記電圧パルスの印加タイミングから前記非対象期間が経過したときを前記判定対象期間の開始タイミングとするタイミング制御部と、を備える。
【０００７】
上記課題を解決するための異常検出方法は、調光装置に発生した異常を検出する異常検出方法であって、前記調光装置は、透明電極間に位置する調光層を備え、相互に異なる極性の電圧パルスを交互に繰り返す駆動電圧が前記透明電極間に印加されることによって前記調光層の透過率を変更する。そして、異常検出方法は、前記電圧パルスの印加タイミングから、当該印加タイミングに生じた前記透明電極間の電流のリップルが閾値未満になるまでの所定期間である非対象期間が経過したときに、前記透明電極間の電流が前記閾値以上であるか否かを判断し、前記閾値以上の電流が検出されることを異常であると判定することを含む。
【０００８】
上記課題を解決するための異常検出プログラムは、調光装置に発生した異常を異常検出装置に検出させる異常検出プログラムであって、前記調光装置は、透明電極間に位置する調光層を備え、相互に異なる極性の電圧パルスを交互に繰り返す駆動電圧が前記透明電極間に印加されることによって前記調光層の透過率を変更する。そして、異常検出プログラムは、前記異常検出装置を、判定対象期間における前記透明電極間の電流が閾値以上であるか否かを判断し、閾値以上の電流が検出されることを異常であると判定する判定部と、前記電圧パルスの印加タイミングに生じた前記透明電極間の電流のリップルが前記閾値未満になるまでの所定期間が非対象期間であり、前記電圧パルスの印加タイミングから前記非対象期間が経過したときを前記判定対象期間の開始タイミングとするタイミング制御部として機能させる。
【０００９】
上記構成によれば、電圧パルスが透明電極間に印加される都度、タイミング制御部が判定対象期間を設定する。各判定対象期間では、透明電極間の電流が閾値以上であるか否かが判断されて、透明電極間の電流が閾値以上であることが異常であると判定される。そして、調光装置における異常の有無が、電圧パルスの印加周期で判断されるため、調光装置に異常が生じた場合には、異常が生じていることが即座に検出される。
【００１０】
この際、電圧パルスの印加タイミングに生じた電流のリップルは、判定部による判断の対象から除外される。そして、電圧パルスの印加による電流のリップルは、調光装置に発生した異常による電流とは判断されず、正常な電流として取り扱われる。結果として、リップルに起因した誤判定が抑制されて、調光装置に発生した異常の検出精度が向上可能ともなる。
【００１１】
上記異常検出装置において、前記タイミング制御部は、前記電圧パルスの印加タイミングを制御してもよい。この構成によれば、共通する単一のタイミング制御部が、リップルが生じはじめるタイミング（電圧パルスの印加タイミング）と、リップル以外を検出しはじめるタイミング（判定対象期間の開始タイミング）とを制御する。そのため、電圧パルスの印加による電流のリップルを判断の対象から除外することの精度向上が可能ともなる。
【００１２】
上記異常検出装置において、前記判定部は、前記透明電極間の電流を検出する検出回路と、前記検出回路の検出信号に対し一部をマスクするマスク回路と、前記マスク回路によるマスク後の検出信号が前記閾値以上であるか否かを判断し、前記閾値以上の電流が検出されることを異常であると判定する判定回路と、を備え、前記タイミング制御部は、前記マスク回路がマスクする期間を前記非対象期間としてもよい。
【００１３】
上記構成によれば、検出回路は、非対象期間を含めて透明電極間の電流を検出し、かつ、マスク回路は、検出信号に対し非対象期間の検出信号をマスクする。結果として、調光装置での異常が非対象期間を跨いで発生する場合にも、調光装置の異常が検出可能となる。
【００１４】
上記異常検出装置において、前記判定部は、前記判定対象期間の検出信号での最大値を保持するピークホールド回路をさらに備え、前記判定回路は、前記ピークホールド回路が保持する前記最大値が前記閾値以上であるか否かを判断し、前記閾値以上の最大値が検出されることを異常であると判定し、前記タイミング制御部は、前記印加タイミングの直前に前記ピークホールド回路をリセットしてもよい。
【００１５】
上記構成によれば、判定対象期間に検出された電流の最大値が、ピークホールド回路に保持される。そのため、検出信号が閾値以上であるか否かの判断を検出順に逐次実行する構成と比べて、判断の回数を低減可能でもある。
【００１６】
例えば、検出信号であるアナログ信号を判断用のデジタル信号に変換する構成では、検出信号のＡ／Ｄ変換に時間を要する。検出信号と閾値との比較を検出順に逐次実行する構成では、各検出信号の判断に際し、Ａ／Ｄ変換の時間が必要となる。結果として、Ａ／Ｄ変換の所要時間以上の周期で判断が実行されてしまい、検出電流の最大値が判断の対象から外れるおそれがある。この点、検出電流の最大値が保持される構成であれば、判定対象期間に検出された全ての検出信号に対しＡ／Ｄ変換が１回で足りるため、検出電流の最大値が判断の対象から外れることが抑制可能となる。
【００１７】
上記異常検出装置において、前記調光装置は、定電圧電源の電圧レベルを前記電圧パルスの電圧レベルに変換する昇圧回路と、前記昇圧回路の出力レベルから前記駆動電圧を生成する駆動電圧生成回路と、をさらに備え、前記タイミング制御部は、前記駆動電圧生成回路の出力タイミングを制御して前記駆動電圧を前記透明電極間に印加すると共に、前記異常であると判定されたときに、前記駆動電圧の印加を停止させてもよい。この構成によれば、調光装置が異常であると判定部が判定したときに、タイミング制御部が駆動電圧の印加を停止する。そのため、調光装置の異常に起因した消費電力の増大が抑制可能ともなる。
【００１８】
上記異常検出装置において、前記判定部は、前記透明電極間の電流を検出する検出回路を備え、前記駆動電圧生成回路は、フルブリッジ回路を備え、前記フルブリッジ回路は、第１スイッチ、第２スイッチ、第３スイッチ、第４スイッチを備え、直列接続された前記第１スイッチおよび前記第３スイッチと、直列接続された前記第２スイッチおよび前記第４スイッチとが並列接続されている。また、前記第１スイッチと前記第２スイッチとの接続部が前記昇圧回路の出力レベルに接続され、前記第３スイッチと前記第４スイッチとの接続部が前記検出回路を介して接地レベルに接続され、前記第１スイッチと前記第３スイッチとの接続部が一方の前記透明電極に接続され、前記第２スイッチと前記第４スイッチとの接続部が他方の前記透明電極に接続されている。前記タイミング制御部は、前記第１スイッチ、および、前記第４スイッチをオンし、かつ、前記第２スイッチ、および、前記第３スイッチをオフすることと、前記第１スイッチ、および、前記第４スイッチをオフし、かつ、前記第２スイッチ、および、前記第３スイッチをオンすることとを交互に繰り返して、前記駆動電圧を前記透明電極間に印加する。そして、前記検出回路は、前記透明電極間の電流として、前記第３スイッチと前記第４スイッチとの接続部から接地レベルに流れる電流を検出してもよい。
【００１９】
上記構成によれば、第１スイッチと第３スイッチとの接続部は、一方の透明電極に接続される。第２スイッチと第４スイッチとの接続部は、他方の透明電極に接続される。そして、第３スイッチと第４スイッチとの接続部の接続先は、一方の透明電極と、他方の透明電極とに切り替わる。すなわち、検出回路が検出する電流の流れる経路は、一方の透明電極と接地レベルとを接続する経路と、他方の透明電極と接地レベルとを接続する経路とに切り替わる。
【００２０】
ここで、透明電極間に印加される電圧パルスの極性が変わると、透明電極間の電流が流れる方向も反転する。この点、上記構成であれば、検出回路が検出する対象は、電圧パルスの極性が変わることに合わせて上記のように変わる。結果として、透明電極間で電流の流れる方向が反転するとしても、検出回路が検出する電流の流れる方向は一定となる。そして、片方向に流れる電流を検出する簡素な構成が、検出回路に採用可能である。
【００２１】
上記異常検出装置は、前記定電圧電源の出力電流が所定値以上であるとき、ヒューズを溶断して前記昇圧回路と定電圧電源との接続を断つ過電流保護回路をさらに備えてもよい。
【００２２】
過電流保護回路が備えたヒューズは、正常な電流のリップルでは溶断されないように、溶断電流を大きく設定される。一方、溶断電流が大きいヒューズは、定電圧電源が過電流を出力する際に、定電圧電源と昇圧回路との接続を即座には断ち難い。この点、上述した構成であれば、調光装置が異常であると判断されたときに、駆動電圧の印加が停止する。すなわち、調光装置を駆動するための各種の回路は、タイミング制御部が行う制御によって、調光装置自体の異常に対し保護される。そして、調光装置を駆動するための各種の回路は、溶断電流が大きいヒューズを備えた過電流保護回路によって、他の回路の異常に対し適切に保護される。
【００２３】
上記異常検出装置は、前記異常であると判定されたときに、前記調光装置に異常が発生した旨を外部に報知する報知部をさらに備えてもよい。この構成によれば、調光装置に異常が発生していることが外部に報知される。そのため、外部から視認される程度の異常に対し、調光装置を駆動するための回路に生じた異常と、調光装置自体に生じた異常とのいずれが要因であるかが把握される。結果として、調光装置に関わる異常に対し対処が容易ともなる。
【図面の簡単な説明】
【００２４】
【図１】異常検出装置の一実施形態での構成を調光装置と共に示すブロック図。
【図２】（ａ）（ｂ）（ｃ）異常検出装置が行う異常検出方法の作用を検出信号の推移を用いて示すタイミングチャート。
【発明を実施するための形態】
【００２５】
異常検出装置、異常検出方法、および、異常検出プログラムの一実施形態を説明する。
図１が示すように、調光装置は、調光シート１０を備える。調光シート１０は、車両や航空機などの移動体が備える窓に貼り付けられる。また、調光シート１０は、住宅、駅、空港などの建物が備える窓、オフィスなどに設置されたパーティション、店舗などに設置されたショーウインドウに貼り付けられる。
【００２６】
調光シート１０が貼り付けられる対象は、平面状、曲面状、不定形状などの各種の形状を有する。調光シート１０の形状は、矩形以外の幾何学形状、不定形状などのシート状、あるいは、板状に変更可能である。
【００２７】
調光シート１０の型式は、液晶型、あるいは、エレクトロクロミック型である。液晶型は、液晶分子に印加される電場の大きさに応じて、光を散乱する状態と、光を透過する状態との間で、液晶分子の配向を可逆的に変える。エレクトロクロミック型は、調光シート１０に印加される電圧の大きさに応じて可逆的に酸化還元反応を進めると共に、その酸化還元反応の進行に伴って光の吸収率を変える。液晶型の調光シート１０に対する異常検出と、エレクトロクロミック型の調光シート１０に対する異常検出とは、同様であるため、以下では、調光シート１０の型式が液晶型である例を示す。
【００２８】
調光シート１０は、第１透明電極１１、第２透明電極１２、および、調光層１３を備える。各透明電極１１，１２は、可視光透過性と電気伝導性とを備える。各透明電極１１，１２を構成する材料は、酸化インジウムスズ、フッ素ドープ酸化スズ、酸化スズ、酸化亜鉛、カーボンナノチューブ、ポリ（3,4-エチレンジオキシチオフェン）、銀合金薄膜からなる群から選択されるいずれか一種である。
【００２９】
調光層１３は、液晶組成物を含む。液晶組成物に含まれる液晶分子の一例は、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系からなる群から選択される一種である。
【００３０】
液晶組成物の保持型式は、高分子ネットワーク型、高分子分散型、カプセル型からなる群から選択されるいずれか一種である。高分子ネットワーク型は、３次元の網目状を有した高分子ネットワークを備えて、高分子ネットワークが有する空隙に液晶組成物を保持する。高分子分散型は、孤立した多数の空隙を高分子層のなかに備えて、高分子層に分散した空隙のなかに液晶組成物を保持する。カプセル型は、カプセル状を有した液晶組成物を高分子層のなかに保持する。
【００３１】
調光層１３は、容量成分と抵抗成分との並列回路として見なされる。調光層１３は、駆動電圧の印加を受けて、液晶分子の配向方向を変える。配向方向の変更は、調光層１３に入射する可視光の散乱度合い、吸収度合い、および、透過度合いを変える。
【００３２】
調光シート１０の型式は、ノーマル型とリバース型とのいずれか一種である。ノーマル型は、駆動電圧の印加によって、高透過率を実現する。また、ノーマル型は、駆動電圧の印加停止によって、低透過率を実現する。これに対して、リバース型は、駆動電圧の印加によって、低透過率を実現する。また、リバース型は、駆動電圧の印加停止によって、低透過率を実現する。
【００３３】
調光装置は、駆動回路２０を備える。駆動回路２０は、定電圧電源２１、過電流保護回路２２、昇圧回路２３、降圧回路２４、および、駆動電圧生成回路を構成するフルブリッジ回路２５を備える。
【００３４】
異常検出装置は、タイミング制御部３１、入力装置３２、検出回路３３、マスク回路３４、ピークホールド回路３５、判定回路３６、および、報知部３７を備える。検出回路３３、マスク回路３４、ピークホールド回路３５、および、判定回路３６は、判定部を構成する。
【００３５】
定電圧電源２１は、移動体が搭載する電源、あるいは、建物が備える電源である。定電圧電源２１は、直流定電圧を出力する。直流定電圧は、例えば、１２Ｖである。
【００３６】
過電流保護回路２２は、定電圧電源２１と昇圧回路２３とに接続されて、定電圧電源２１が出力する直流定電圧を昇圧回路２３に入力する。過電流保護回路２２は、定電圧電源２１と降圧回路２４とに接続されて、定電圧電源２１が出力する直流定電圧を降圧回路２４に入力する。過電流保護回路２２は、定電圧電源２１の出力電流が所定値以上であるとき、ヒューズを溶断して、定電圧電源２１と、昇圧回路２３および降圧回路２４との接続を断つ。過電流保護回路２２が備えたヒューズは、正常電流のリップルでは溶断されないように、大きな溶断電流を備える。
【００３７】
昇圧回路２３は、定電圧電源２１が出力する直流定電圧の電圧レベルを、駆動電圧を生成するための電圧レベルに昇圧する。駆動電圧は、相互に異なる極性の電圧パルス（図２を参照）を交互に繰り返す。駆動電圧を生成するための電圧レベルは、駆動電圧の印加によって液晶分子の配向を変える。駆動電圧を生成するための電圧レベルは、例えば、５０Ｖである。
【００３８】
降圧回路２４は、定電圧電源２１が出力する直流定電圧の電圧レベルを、タイミング制御部３１を駆動するための電圧レベルに降圧する。タイミング制御部３１を駆動するための電圧レベルは、例えば、３．３Ｖである。
【００３９】
タイミング制御部３１は、中央演算処理装置、および、メモリを備える。タイミング制御部３１は、各種の処理を全てソフトウェアで処理するものに限らない。例えば、タイミング制御部３１は、各種の処理のうちの少なくとも一部の処理を実行する専用のハードウェア（特定用途向け集積回路：ＡＳＩＣ）を備えてもよい。タイミング制御部３１は、ＡＳＩＣなどの１つ以上の専用のハードウェア回路、コンピュータプログラム（ソフトウェア）に従って動作する１つ以上のプロセッサ（マイクロコンピュータ）、あるいは、これらの組み合わせ、を含む回路として構成される。なお、以下では、タイミング制御部３１が、読み取り可能な可読媒体に異常検出プログラムを記憶し、可読媒体が記憶する異常検出プログラムを読み出して実行し、駆動電圧の印加処理、および、異常検出処理を行う例を説明する。
【００４０】
フルブリッジ回路２５は、第１スイッチＱ１、第２スイッチＱ２、第３スイッチＱ３、第４スイッチＱ４を備える。第１スイッチＱ１は、ｐチャンネル型トランジスタである。第３スイッチＱ３は、ｎチャンネル型トランジスタである。第１スイッチＱ１と第３スイッチＱ３とが、ＣＭＯＳトランジスタを構成する。また、第２スイッチＱ２は、ｐチャンネル型トランジスタである。第４スイッチＱ４は、ｎチャンネル型トランジスタである。第２スイッチＱ２と第４スイッチＱ４とが、ＣＭＯＳトランジスタを構成する。
なお、トランジスタのゲート信号の電圧レベルを、第１スイッチＱ１、および、第２スイッチＱ２のソース端子のレベルにまでシフト可能な専用ＩＣなどをタイミング制御部３１に内蔵した場合には、第１スイッチＱ１、および、第２スイッチＱ２は、ｎチャンネル型トランジスタを使用することも可能である。
【００４１】
第１スイッチＱ１と第３スイッチＱ３とは、直列接続されている。第２スイッチＱ２と第４スイッチＱ４とは、直列接続されている。直列接続された第１スイッチＱ１、および、第３スイッチＱ３と、直列接続された第２スイッチＱ２、および、第４スイッチＱ４とは、並列接続されている。
【００４２】
第１スイッチＱ１と第３スイッチＱ３との接続部は、第１透明電極１１に接続されている。第２スイッチＱ２と第４スイッチＱ４との接続部は、第２透明電極１２に接続されている。
【００４３】
第１スイッチＱ１と第２スイッチＱ２との接続部は、昇圧回路２３の出力端に接続されている。第３スイッチＱ３と第４スイッチＱ４との接続部は、検出回路３３を介して接地レベルに接続されている。
タイミング制御部３１は、フルブリッジ回路２５の出力タイミングを制御して、第１透明電極１１と第２透明電極１２との間に駆動電圧を印加する。
【００４４】
すなわち、タイミング制御部３１は、第１スイッチＱ１、および、第４スイッチＱ４をオンし、かつ、第２スイッチＱ２、および、第３スイッチＱ３をオフし、それによって、第１透明電極１１が接地レベルであって、かつ、第２透明電極１２が昇圧回路２３の出力レベルとなる電圧パルスを、透明電極１１，１２間に印加する。
【００４５】
また、タイミング制御部３１は、第１スイッチＱ１、および、第４スイッチＱ４をオフし、かつ、第２スイッチＱ２、および、第３スイッチＱ３をオンし、それによって、第１透明電極１１が昇圧回路２３の出力レベルであって、かつ、第２透明電極１２が接地レベルである電圧パルスを、透明電極１１，１２間に印加する。
【００４６】
そして、タイミング制御部３１は、昇圧回路２３の出力レベルを、第１透明電極１１と第２透明電極１２とに交互に繰り返して印加する。また、タイミング制御部３１は、第１透明電極１１が昇圧回路２３の出力レベルである期間と、第２透明電極１２が昇圧回路２３の出力レベルである期間との間に、全てのスイッチＱ１，Ｑ２，Ｑ３，Ｑ４をオフし、各透明電極１１，１２がフローティング状態である期間とする。
【００４７】
入力装置３２は、オルタネイト型の機械的スイッチ、あるいは、タッチパネルスイッチなどの入力インターフェースを備える。入力装置３２は、調光装置を駆動させるためのスイッチ操作を受けて、当該操作に対応する操作信号をタイミング制御部３１に入力する。入力装置３２は、調光装置の駆動を停止させるためのスイッチ操作を受けて、当該操作に対応する操作信号をタイミング制御部３１に入力する。タイミング制御部３１は、各操作信号の入力を受けて、各操作信号に準じた処理を実行する。
【００４８】
検出回路３３は、第３スイッチＱ３と第４スイッチＱ４との接続部と、接地レベルとに接続さてれている。検出回路３３は、第３スイッチＱ３と第４スイッチＱ４との接続部から接地レベルに流れる電流を検出する。第３スイッチＱ３と第４スイッチＱ４との接続部から接地レベルに流れる電流は、第１透明電極１１と第２透明電極１２との間に流れる電流として取り扱われる。
【００４９】
なお、上述したように、第２スイッチＱ２と第４スイッチＱ４との接続部は、第１透明電極に接続される。第１スイッチＱ１と第３スイッチＱ３との接続部は、第２透明電極１２に接続される。そして、駆動電圧が調光シート１０に印加されるとき、第３スイッチＱ３と第４スイッチＱ４との接続部の接続先は、第１透明電極１１と、第２透明電極１２とに切り替わる。すなわち、検出回路３３が検出する電流の流れる経路は、第１透明電極１１と接地レベルとを接続する経路と、第２透明電極１２と接地レベルとを接続する経路とに切り替わる。
【００５０】
ここで、透明電極１１，１２間に印加される電圧パルスの極性が変わると、透明電極１１，１２間の電流が流れる方向も反転する。この点、検出回路３３が検出する対象は、電圧パルスの極性が変わることに合わせて上記のように変わる。結果として、透明電極１１，１２間で電流の流れる方向が反転するとしても、検出回路３３が検出する電流の流れる方向は一定となる。そのため、片方向に流れる電流を検出する簡素な構成が、検出回路３３に採用可能である。
【００５１】
マスク回路３４は、検出回路３３に接続されている。マスク回路３４は、検出回路３３が逐次出力する検出信号Ｉａ（検出電流）に対し一部をマスクし、マスク後の検出信号Ｉａである抽出信号Ｉｍを出力する。マスク回路３４は、マスクを行う期間中、透明電極１１，１２間の電流が閾値Ｉｔｈ未満であることを示す抽出信号Ｉｍを出力する。マスク回路３４は、マスクを行わない期間中、検出信号Ｉａに相当する抽出信号Ｉｍを出力する。
【００５２】
タイミング制御部３１は、マスク回路３４がマスクを行う期間を制御する。マスク回路３４がマスクする期間は、非対象期間である。マスク回路３４がマスクしない期間は、判定対象期間である。
【００５３】
タイミング制御部３１は、非対象期間を定めるためのマスク信号ＳＩＧＭをマスク回路３４に入力する。マスク信号ＳＩＧＭの立ち上がりは、非対象期間が始まるタイミングであって、判定対象期間が終わるタイミングである。マスク信号ＳＩＧＭの立ち下がりは、非対象期間が終わるタイミングであって、判定対象期間が始まるタイミングである。
【００５４】
タイミング制御部３１は、電圧パルスを印加するタイミング（印加タイミング）から非対象期間を開始する。タイミング制御部３１は、印加タイミングに生じた透明電極１１，１２間の電流のリップルが閾値Ｉｔｈ未満になった後に非対象期間を終了する。すなわち、タイミング制御部３１は、電圧パルスの印加タイミングに判定対象期間を終了し、判定対象期間の終了から非対象期間が経過したときに、判定対象期間を再度開始する。
【００５５】
電圧パルスの印加タイミングで透明電極１１，１２間に流れる電流のリップルは、正常電流による波形の乱れである。正常電流によるリップルが閾値Ｉｔｈ未満になるまでの期間は、例えば、調光シート１０が有する容量成分と抵抗成分とに基づいて予め定められる。あるいは、正常電流によるリップルが閾値Ｉｔｈ未満になるまでの期間は、例えば、調光シート１０を用いた試験研究に基づいて予め定められる。
【００５６】
閾値Ｉｔｈ以上の電流は、正常電流でのリップルを除いて、透明電極１１，１２間に流れる異常電流である。透明電極１１，１２間に流れる異常電流は、第１透明電極１１と第２透明電極１２との接触などによって生じる。閾値Ｉｔｈは、透明電極１１，１２間に異常電流が流れていると推定される値であって、透明電極１１，１２間に短絡が生じている状態などに基づいて予め定められる。
【００５７】
ピークホールド回路３５は、マスク回路３４に接続されている。ピークホールド回路３５は、マスク回路３４が出力する抽出信号Ｉｍのなかで最大値を保持する。ピークホールド回路３５は、保持している最大値をサンプル信号Ｉｓとして出力する。ピークホールド回路３５が保持する最大値は、ピークホールド回路３５にリセット信号ＳＩＧＲが入力されてから、ピークホールド回路３５に再度リセット信号ＳＩＧＲが入力されるまで、更新され続ける。
【００５８】
タイミング制御部３１は、ピークホールド回路３５をリセットするタイミングを制御する。タイミング制御部３１は、ピークホールド回路３５をリセットするタイミングを、タイミング制御部３１が定める非対象期間内とする。
【００５９】
判定回路３６は、ピークホールド回路３５に接続されている。判定回路３６は、ピークホールド回路３５が出力するサンプル信号Ｉｓを用い、ピークホールド回路３５が保持する最大値が閾値Ｉｔｈ以上か否かを判断する。すなわち、判定回路３６は、判定対象期間における透明電極１１，１２間の電流が閾値Ｉｔｈ以上であるか否かを判断する。そして、判定回路３６は、閾値Ｉｔｈ以上の電流が検出されることを異常であると判定する。判定回路３６は、調光装置が異常であると判定した結果を、タイミング制御部３１、および、報知部３７に別々に入力する。例えば、判定回路３６は、Ａ／Ｄ変換器を備え、サンプル信号Ｉｓであるアナログ信号を、判断用のデジタル信号に変換する。
【００６０】
タイミング制御部３１は、調光装置が正常であると判定した結果の入力を受けて、第１透明電極１１と第２透明電極１２との間に駆動電圧を印加し続ける。タイミング制御部３１は、調光装置が異常であると判定した結果の入力を受けて、全てのスイッチＱ１，Ｑ２，Ｑ３，Ｑ４をオフする。そして、タイミング制御部３１は、第１透明電極１１、および、第２透明電極１２と、タイミング制御部３１とを分離し、第１透明電極１１と第２透明電極１２との間への駆動電圧の印加を停止する。
報知部３７は、調光装置が異常であると判定した結果の入力を受けて、調光装置が異常である旨のメッセージを出力する。
【００６１】
［作用］
上記異常検知装置が行う異常検知方法を、マスク信号ＳＩＧＭ、リセット信号ＳＩＧＲ、検出信号Ｉａ、抽出信号Ｉｍ、および、サンプル信号Ｉｓの推移を用いて説明する。
【００６２】
なお、図２（ａ）は、タイミング制御部３１が出力するマスク信号ＳＩＧＭ、第１透明電極１１の電圧レベルＶ１１、第２透明電極１２の電圧レベルＶ１２、および、リセット信号ＳＩＧＲの推移を示す。図２（ｂ）は、透明電極１１，１２間に流れる正常電流と、ピークホールド回路３５のサンプル信号Ｉｓとの推移を示す。図２（ｃ）は、透明電極１１，１２間に流れる正常電流、および、異常電流と、ピークホールド回路３５のサンプル信号Ｉｓとの推移を示す。
【００６３】
図２が示すように、まず、タイミング制御部３１は、全てのスイッチＱ１，Ｑ２，Ｑ３，Ｑ４をオフした状態で待機する。すなわち、タイミング制御部３１は、各透明電極１１，１２をフローティング状態で待機する。
【００６４】
次いで、タイミング制御部３１は、タイミングｔａにマスク信号ＳＩＧＭを立ち上げて、マスク回路３４にマスクを開始させる。また、タイミング制御部３１は、タイミングｔａに、第２スイッチＱ２、および、第３スイッチＱ３をオンし、かつ、第１スイッチＱ１、および、第４スイッチＱ４をオフする。そして、タイミング制御部３１は、第１透明電極１１が接地レベルであって、かつ、第２透明電極１２が昇圧回路２３の出力レベルとなる電圧パルスの印加を開始する。
【００６５】
次いで、タイミング制御部３１は、タイミングｔａが経過した後にリセット信号ＳＩＧＲを立ち上げて、ピークホールド回路３５をリセットする。続いて、タイミング制御部３１は、タイミングｔａから非対象期間が経過するまでにリセット信号ＳＩＧＲを立ち下げる。また、タイミング制御部３１は、タイミングｔａから非対象期間が経過したときに（タイミングｔｂに）、マスク信号ＳＩＧＭを立ち下げて、マスク回路３４にマスクを終了させる。そして、タイミング制御部３１は、タイミングｔａから非対象期間が経過したときを、判定対象期間の開始タイミング（タイミングｔｂ）とする。
【００６６】
ここで、タイミングｔａは、電圧パルスの印加が開始される印加タイミングである。透明電極１１，１２間の電流は、タイミングｔａの直後にリップルを生じる。検出回路３３が検出したリップルは、閾値Ｉｔｈ以上である。
【００６７】
一方、タイミングｔａからタイミングｔｂまでは、非対象期間である。タイミング制御部３１は、リップルが生じるときに、マスク回路３４にマスクを開始させて、リップルが生じている間に、ピークホールド回路３５をリセットする。そして、タイミング制御部３１は、リップルが閾値未満になると推定される非対象期間が経過するまで、マスク回路３４にマスクを継続させる。
【００６８】
結果として、マスク回路３４は、タイミングｔａからタイミングｔｂまで、透明電極１１，１２間の電流が閾値Ｉｔｈ未満であることを示す抽出信号Ｉｍを出力する。また、ピークホールド回路３５は、閾値Ｉｔｈ未満の最大値を示すサンプル信号Ｉｓを出力する。そして、判定回路３６は、透明電極１１，１２間の電流が閾値Ｉｔｈ未満であると判断し、調光装置が正常であると判定する。
【００６９】
続いて、タイミング制御部３１は、タイミングｔｃまで、第２スイッチＱ２、および、第３スイッチＱ３をオンし、かつ、第１スイッチＱ１、および、第４スイッチＱ４をオフする。そして、タイミング制御部３１は、第１透明電極１１が接地レベルであって、かつ、第２透明電極１２が昇圧回路２３の出力レベルとなる電圧パルスを印加し続ける。
【００７０】
次いで、タイミング制御部３１は、タイミングｔｃに、全てのスイッチＱ１，Ｑ２，Ｑ３，Ｑ４をオフし、各透明電極１１，１２をフローティング状態とする。そして、タイミング制御部３１は、タイミングｔｃを、判定対象期間が終了するタイミングとする。なお、タイミング制御部３１は、次回のタイミングｔａまで、全てのスイッチＱ１，Ｑ２，Ｑ３，Ｑ４をオフした状態で待機する。
【００７１】
また、タイミング制御部３１は、タイミングｔｃまで、リセット信号ＳＩＧＲを立ち下げ続けて、抽出信号Ｉｍの最大値をピークホールド回路３５に保持させる。また、タイミング制御部３１は、マスク信号ＳＩＧＭを立ち下げ続けて、マスク回路３４にマスクを停止させる。そして、タイミング制御部３１は、次回のタイミングｔａに、リセット信号ＳＩＧＲを立ち上げて、ピークホールド回路３５をリセットする。また、タイミング制御部３１は、マスク信号ＳＩＧＭを立ち上げて、マスク回路３４にマスクを開始させる。
【００７２】
ここで、図２（ｂ）が示すように、透明電極１１，１２間に正常電流が流れている場合、マスク回路３４は、透明電極１１，１２間の電流が閾値Ｉｔｈ未満であることを示す抽出信号Ｉｍを出力する。ピークホールド回路３５は、閾値Ｉｔｈ未満の最大値を示すサンプル信号Ｉｓを出力する。そして、判定回路３６は、透明電極１１，１２間の電流が閾値Ｉｔｈ未満であると判断し、調光装置が正常であると判定する。
【００７３】
これに対し、図２（ｃ）が示すように、透明電極１１，１２間に異常電流が流れている場合、マスク回路３４は、透明電極１１，１２間に閾値Ｉｔｈ以上の電流が流れたことを示す抽出信号Ｉｍを出力する。ピークホールド回路３５は、閾値Ｉｔｈ以上の最大値を示すサンプル信号Ｉｓを出力する。そして、判定回路３６は、透明電極１１，１２間の電流が閾値Ｉｔｈ以上であると判断し、調光装置が異常であると判定する。
【００７４】
そして、報知部３７は、調光装置が異常であると判定した結果の入力を受けて、調光装置が異常である旨のメッセージを出力する。また、タイミング制御部３１は、次回のタイミングｔａが経過した後も、全てのスイッチＱ１，Ｑ２，Ｑ３，Ｑ４をオフする。それによって、第１透明電極１１、および、第２透明電極１２がタイミング制御部３１から分離され、第１透明電極１１と第２透明電極１２との間への駆動電圧の印加が停止され続ける。
【００７５】
以上、上記実施形態によれば、以下の効果が得られる。
（１）電圧パルスが透明電極１１，１２間に印加される都度、タイミング制御部３１が判定対象期間を設定する。そして、調光装置における異常の有無が、電圧パルスの印加周期で判断されるため、調光装置に異常が生じた場合には、異常が生じていることが即座に検出される。
【００７６】
（２）タイミングｔａに生じた電流のリップルは、判定回路３６による判定の対象から除外される。結果として、リップルに起因した誤判定が抑制されて、調光装置に発生した異常の検出精度が向上可能ともなる。
【００７７】
（３）共通する単一のタイミング制御部３１が、リップルが生じはじめるタイミングと、リップル以外を検出しはじめるタイミングとを制御する。そのため、電圧パルスの印加による電流のリップルを判定の対象から除外することの精度向上が可能ともなる。
【００７８】
（４）検出回路３３は、非対象期間を含めて透明電極１１，１２間の電流を検出し、かつ、マスク回路３４は、検出信号Ｉａに対し非対象期間の検出信号Ｉａをマスクする。結果として、調光装置での異常が非対象期間を跨いで発生する場合にも、調光装置の異常が検出可能となる。
【００７９】
（５）判定対象期間に検出された電流の最大値が、ピークホールド回路３５に保持される。そのため、抽出信号Ｉｍが閾値以上であるか否かの判断を検出順に逐次実行する構成と比べて、判断の回数を低減可能でもある。
【００８０】
（６）特に、抽出信号Ｉｍであるアナログ信号を判断用のデジタル信号に変換する判定回路３６では、抽出信号ＩｍのＡ／Ｄ変換に時間を要する。抽出信号Ｉｍと閾値Ｉｔｈとを検出順に逐次実行する構成では、抽出信号Ｉｍの判断に際し、Ａ／Ｄ変換の時間が必要となる。そして、Ａ／Ｄ変換の所要時間以上の周期で判断が実行されてしまい、抽出信号Ｉｍの最大値が判断の対象から外れるおそれがある。この点、抽出信号Ｉｍの最大値が保持される構成であれば、判定対象期間に検出された全ての抽出信号Ｉｍに対しＡ／Ｄ変換が１回で足りるため、抽出信号Ｉｍの最大値が判断の対象から外れることが抑制可能となる。
【００８１】
（７）また、検出回路３３、マスク回路３４、および、ピークホールド回路３５がアナログ回路によって構成される場合には、検出信号Ｉａの出力からサンプル信号Ｉｓの出力までに要する時間が短縮可能である。結果として、調光装置における異常の検出を実時間で行うことが可能ともなる。
【００８２】
（８）調光装置が異常であると判定回路３６が判定したときに、タイミング制御部３１が駆動電圧の印加を停止する。そのため、調光装置の異常による消費電力の増大が抑制可能ともなる。
【００８３】
（９）透明電極１１，１２間で電流の流れる方向が反転するとしても、検出回路３３が検出する電流の流れる方向は一定である。そのため、片方向に流れる電流を検出する簡素な構成が、検出回路３３に採用可能である。
【００８４】
（１０）溶断電流が大きいヒューズは、定電圧電源２１が過電流を出力する際に、定電圧電源２１と昇圧回路２３との接続を即座には断ち難い。一方、上述した構成であれば、調光装置が異常であると判断されたときに、駆動電圧の印加が停止する。すなわち、調光装置を駆動するための各種の回路は、タイミング制御部３１が行う制御によって、調光装置自体の異常に対し保護される。そして、調光装置を駆動するための各種の回路は、溶断電流が大きいヒューズを備えた過電流保護回路２２によって、他の回路の異常に対し適切に保護される。
【００８５】
（１１）調光装置に異常が発生していることが外部に報知される。そのため、外部から視認される程度の異常に対し、調光装置を駆動するための回路に生じた異常と、調光装置自体に生じた異常とのいずれが要因であるかが把握される。結果として、調光装置に関わる異常に対し対処が容易ともなる。
【００８６】
なお、上記実施形態は、以下のように変更可能である。
・タイミング制御部３１は、マスク信号ＳＩＧＭが立ち上がるタイミングを、電圧パルスの印加タイミングよりも所定時間前に設定可能である。この際、非対象期間は、電圧パルスの印加タイミングから、マスク信号ＳＩＧＭが立ち下がるまでの期間である。この構成によれば、電圧パルスの印加による電流のリップルが生じる前に、マスク回路３４が検出信号Ｉａをマスクする。そのため、リップルに起因した誤判定がさらに抑制可能ともなる。
【００８７】
・タイミング制御部３１は、リセット信号ＳＩＧＲが立ち上がるタイミングを、マスク信号ＳＩＧＭが立ち上がるタイミング、あるいは、電圧パルスの印加タイミングに変更可能である。また、タイミング制御部３１は、リセット信号ＳＩＧＲが立ち下がるタイミングを、マスク信号ＳＩＧＭが立ち下がるタイミングに変更可能である。
【００８８】
・調光装置は、フルブリッジ回路２５の各スイッチＱ１，Ｑ２，Ｑ３，Ｑ４を駆動するためのフルブリッジ制御部を別途備え、タイミング制御部３１は、マスク回路、および、ピークホールド回路３５の駆動に特化した構成に変更可能である。この際、タイミング制御部３１は、非対象期間の開始タイミングと、非対象期間の終了タイミングとを、フルブリッジ制御部が制御信号を出力するタイミングに基づいて定める。フルブリッジ制御部は、調光装置が異常であると判定された結果を受けて、駆動電圧の印加を停止する。
【００８９】
・異常検出装置は、マスク回路３４、ピークホールド回路３５、および、判定回路３６を割愛されて、Ａ／Ｄ変換器、中央演算処理装置、および、メモリを備えた判定部を別途備え、ソフトウェアで各種の処理を行うものに変更可能である。この際、判定部は、検出回路３３の検出信号Ｉａをデジタル信号として取り扱い、検出信号Ｉａにマスクを施すマスク処理、マスク処理の結果のなかの最大値を保持するホールド処理、および、最大値と閾値Ｉｔｈとの比較に基づいて異常の有無を判定する判定処理を行う。
【００９０】
・タイミング制御部３１は、検出回路３３が判定対象期間にのみ電流を検出するように、検出回路３３の検出タイミングを制御してもよい。この際、異常検出装置は、マスク回路３４を割愛可能である。
【００９１】
上記実施形態、および、変更例から導き出される技術的思想を以下に付記する。
［付記］
調光装置に用いられる異常検出装置であって、
前記調光装置は、
透明電極間に位置する調光層を備え、相互に異なる極性の電圧パルスを交互に繰り返す駆動電圧が前記透明電極間に印加されることによって前記調光層の透過率を変更し、
定電圧電源の電圧レベルを前記電圧パルスの電圧レベルに変換する昇圧回路と、
前記昇圧回路の出力レベルから前記駆動電圧を生成する駆動電圧生成回路と、をさらに備え、
前記駆動電圧生成回路は、フルブリッジ回路を備え、
前記フルブリッジ回路は、第１スイッチ、第２スイッチ、第３スイッチ、第４スイッチを備え、直列接続された前記第１スイッチおよび前記第３スイッチと、直列接続された前記第２スイッチおよび前記第４スイッチとが並列接続され、
前記第１スイッチと前記第２スイッチとの接続部が前記昇圧回路に接続され、
前記第３スイッチと前記第４スイッチとの接続部が前記検出回路を介して接地レベルに接続され、
前記第１スイッチと前記第３スイッチとの接続部に一方の前記透明電極が接続され、
前記第２スイッチと前記第４スイッチとの接続部に他方の前記透明電極が接続され、
前記調光装置は、
前記第１スイッチ、および、前記第４スイッチをオンし、かつ、前記第２スイッチ、および、前記第３スイッチをオフすることと、前記第１スイッチ、および、前記第４スイッチをオフし、かつ、前記第２スイッチ、および、前記第３スイッチをオンすることとを交互に繰り返して、前記駆動電圧を前記透明電極間に印加するタイミング制御部をさらに備え、
前記異常検出装置は、
前記透明電極間の電流が閾値以上であるか否かを判断し、閾値以上の電流が検出されることを異常であると判定する判定部を備え、
前記判定部は、前記透明電極間の電流を検出する検出回路を備え、
前記検出回路は、前記透明電極間の電流として、前記第３スイッチと前記第４スイッチとの接続部から接地レベルに流れる電流を検出する、
異常検出装置。
【００９２】
上記付記に記載の構成によれば、第１スイッチと第３スイッチとの接続部は、一方の透明電極に接続される。第２スイッチと第４スイッチとの接続部は、他方の透明電極に接続される。そして、第３スイッチと第４スイッチとの接続部の接続先は、一方の透明電極と、他方の透明電極とに切り替わる。すなわち、検出回路が検出する電流の流れる経路は、一方の透明電極と接地レベルとを接続する経路と、他方の透明電極と接地レベルとを接続する経路とに切り替わる。
【００９３】
ここで、透明電極間に印加される電圧パルスの極性が変わると、透明電極間の電流が流れる方向も反転する。この点、上記付記に記載の構成であれば、検出回路が検出する対象は、電圧パルスの極性が変わることに合わせて上記のように変わる。結果として、透明電極間で電流の流れる方向が反転するとしても、検出回路が検出する電流の流れる方向は一定となる。そして、片方向に流れる電流を検出する簡素な構成が検出回路に採用可能であるから、異常検出装置の構成が簡素化可能である。
【符号の説明】
【００９４】
Ｉａ…検出信号、Ｉｔｈ…閾値、ＳＩＧＭ…マスク信号、ＳＩＧＲ…リセット信号、Ｑ１…第１スイッチ、Ｑ２…第２スイッチ、Ｑ３…第３スイッチ、Ｑ４…第４スイッチ、１０…調光シート、１１…第１透明電極、１２…第２透明電極、１３…調光層、２１…定電圧電源、２２…過電流保護回路、２３…昇圧回路、２４…降圧回路、２５…フルブリッジ回路、３１…タイミング制御部、３２…入力装置、３３…検出回路、３４…マスク回路、３５…ピークホールド回路、３６…判定回路、３７…報知部。
【図１】
2020034611.tif 000003
【図２】
2020034611.tif 000004